(57)【特許請求の範囲】
【請求項１】
電源電圧の供給及び通信に共用される導体線を介して、複数の通信端末装置が暗号化された通信信号を用いて相互に通信可能に接続される暗号通信システムであって、
前記複数の通信端末装置は、
前記導体線を介して他の通信端末装置との間で通信を行う通信部と、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により他の通信端末装置へ送信させる暗号キー配布処理部と、
前記暗号キーの設定を指示する設定指示を受け付ける設定指示受付部と、
前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部と、
前記設定指示受付部により前記設定指示が受け付けられたのが前記通信部により前記暗号キーが受信された後予め設定された所定の時間内であった場合、前記暗号キーが受信された旨を報知し、前記通信部により前記暗号キーが受信された後前記所定の時間内に前記設定指示受付部により前記設定指示が受け付けられなかった場合、前記報知を行わない受信報知部と、
前記設定指示受付部により受け付けられた前記設定指示の確定を指示する確定指示を受け付ける確定指示受付部とを備え、
前記暗号キー設定部は、前記受信報知部により前記暗号キーが受信された旨の報知が行われた後であって、かつ前記待ち時間内に前記確定指示受付部により前記確定指示が受け付けられた場合に、当該受信された暗号キーを前記通信信号の暗号化及び複合化のための暗号キーとして設定し、前記報知が行われた後であって、かつ前記待ち時間内に前記確定指示受付部により前記確定指示が受け付けられなかった場合、前記暗号キーの設定を行わないこと
を特徴とする暗号通信システム。
【請求項２】
電源電圧の供給及び通信に共用される導体線を介して、複数の通信端末装置が暗号化された通信信号を用いて相互に通信可能に接続される暗号通信システムであって、
前記複数の通信端末装置は、
前記導体線を介して他の通信端末装置との間で通信を行う通信部と、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により他の通信端末装置へ送信させる暗号キー配布処理部と、
前記暗号キーの設定を指示する設定指示を受け付ける設定指示受付部と、
前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部と、
前記複数の通信端末装置は、操作指示を受け付ける操作受付部を備え、
前記操作受付部は、
前記通信部により前記暗号キーが受信されることなく前記操作指示を受け付けた場合に、当該操作指示を前記配布指示として受け付ける前記配布指示受付部として機能し、
前記暗号キーが受信された後予め設定された所定の待ち時間内に前記操作指示を受け付けた場合に、当該操作指示を前記設定指示として受け付ける前記設定指示受付部として機能すること
を特徴とする暗号通信システム。
【請求項３】
電源電圧の供給及び通信に共用される導体線を介して、複数の通信端末装置が暗号化された通信信号を用いて相互に通信可能に接続される暗号通信システムであって、
前記複数の通信端末装置は、前記導体線を介して他の通信端末装置との間で通信を行う通信部を備え、
前記複数の通信端末装置のうち一の通信端末装置は、少なくとも、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により他の通信端末装置へ送信させる暗号キー配布処理部とを備え、
前記他の通信端末装置は、少なくとも、
前記暗号キーの設定を指示する設定指示を受け付ける設定指示受付部と、
前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、
前記設定指示受付部は、
前記導体線における電源電圧の有無を検出し、
前記暗号キーが受信された後予め設定された所定の待ち時間内に前記電源電圧が検出されなくなった場合に、前記設定指示を受け付けること
を特徴とする暗号通信システム。
【請求項４】
電源電圧の供給及び通信に共用される導体線を介して、複数の通信端末装置が暗号化された通信信号を用いて相互に通信可能に接続される暗号通信システムであって、
前記複数の通信端末装置は、前記導体線を介して他の通信端末装置との間で通信を行う通信部を備え、
前記複数の通信端末装置のうち少なくとも一の通信端末装置は、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により他の通信端末装置へ送信させる暗号キー配布処理部とを備え、
前記一の通信端末装置を除く他の通信端末装置は、
前記暗号キーの設定を指示する設定指示を受け付ける設定指示受付部と、
前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、
前記設定指示受付部は、
前記導体線における電源電圧の有無を検出し、
前記暗号キーが受信された後予め設定された所定の待ち時間内に前記電源電圧が検出されなくなった場合に、前記設定指示を受け付けること
を特徴とする暗号通信システム。
【請求項５】
電源電圧の供給及び通信に共用される導体線を介して、複数の通信端末装置が暗号化された通信信号を用いて相互に通信可能に接続される暗号通信システムであって、
前記複数の通信端末装置は、
前記導体線を介して他の通信端末装置との間で通信を行う通信部と、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により他の通信端末装置へ送信させる暗号キー配布処理部と、
前記暗号キーの設定を指示する設定指示を受け付ける設定指示受付部と、
前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、
前記設定指示受付部は、
前記導体線における電源電圧の有無を検出し、
前記暗号キーが受信された後予め設定された所定の待ち時間内に前記電源電圧が検出されなくなった場合に、前記設定指示を受け付けること
を特徴とする暗号通信システム。
【請求項６】
前記導体線に前記電源電圧を供給する外部電源と前記導体線との間の接続を開閉するスイッチを有するブレーカ装置を備え、
前記暗号キー配布処理部は、前記暗号キーを前記通信部により他の通信端末装置へ送信させた後、予め設定された所定の時間経過後に前記スイッチをオフさせること
を特徴とする請求項３〜５のいずれか１項に記載の暗号通信システム。
【請求項７】
前記複数の通信端末装置は、前記暗号キー設定部により前記暗号キーの設定が行われた場合に、当該暗号キーの設定が行われた旨を報知する設定報知部をさらに備えること
を特徴とする請求項３〜６のいずれか１項に記載の暗号通信システム。
【請求項８】
電源電圧の供給及び通信に共用される導体線を介して、複数の通信端末装置が暗号化された通信信号を用いて相互に通信可能に接続される暗号通信システムにおける前記導体線に前記電源電圧を供給する外部電源と前記導体線との間の接続を開閉するスイッチを有するブレーカ装置であって、
前記導体線を介して前記複数の通信端末装置との間で通信を行う通信部と、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により前記複数の通信端末装置へ送信させる暗号キー配布処理部とを備え、
前記暗号キー配布処理部は、前記暗号キーを前記通信部により前記複数の通信端末装置へ送信させた後、予め設定された所定の時間経過後に前記暗号キーを設定させるべく前記スイッチをオフさせること
を特徴とするブレーカ装置。
【発明の詳細な説明】
【技術分野】
【０００１】
本発明は、電源電圧の供給及び通信に共用される導体線を介して、複数の通信端末装置が暗号化された通信信号を用いて相互に通信可能に接続される暗号通信システムに関する。そして、このような暗号通信システムに利用される暗号キー設定方法、通信端末装置、及びブレーカ装置に関する。
【背景技術】
【０００２】
住戸やオフィスビルを始めとして、様々な場所に電力供給のために電力線が布設されている。近年、この電力線を伝送路に用いた電力線搬送通信が確立されつつある。この電力線搬送通信は、既設の電力線を用いて機器同士の通信が実現されるため、専用の通信線を新たに導入及び施工することなく機器同士のネットワーク化が可能である。例えば、照明器具や空調設備等の負荷端末におけるオン・オフ（閉・開）を壁スイッチ等の制御端末によって電力線搬送通信を用いて行う通信システム等が知られている（例えば、特許文献１参照。）。
【０００３】
このような通信システムでは、通信路として電力線が用いられ、電力線はユーザの住戸やオフィスを越えて他の住戸やオフィスに繋がっているため、ユーザが使用している通信システムで送受信された通信信号が電力線を介して他の住戸やオフィスに送信されてしまい、外部に情報が漏れる可能性が高い。そこで、通信信号を暗号化することで、情報の漏洩を防止するようにしている。
【特許文献１】特開２００４−２０８４７２号公報
【発明の開示】
【発明が解決しようとする課題】
【０００４】
ところで、上述のように通信信号を暗号化する場合には、通信信号の暗号化及び複合化に用いられる暗号キーを各通信端末装置に対して予め配布し、設定しておく必要がある。しかし、暗号キーを通信により配布すると、電力線を介して隣の家や他のオフィス等にも暗号キーが配布されてしまい、情報の漏洩を招くという不都合があった。また、暗号キーをブロードキャストで配布すると、暗号キーの配布先を特定の通信端末装置に限定することができないため、例えば住宅内における特定の部屋の通信端末装置のみに暗号キーを設定するといった設定の自由度がないという不都合があった。
【０００５】
本発明は、このような問題に鑑みて為された発明であり、所望の通信端末装置のみに容易に暗号キーを設定することができる暗号通信システム、暗号キー設定方法、通信端末装置、及びブレーカ装置を提供することを目的とする。
【課題を解決するための手段】
【０００６】
本発明に係る暗号通信システムは、電源電圧の供給及び通信に共用される導体線を介して、複数の通信端末装置が暗号化された通信信号を用いて相互に通信可能に接続される暗号通信システムであって、前記複数の通信端末装置は、前記導体線を介して他の通信端末装置との間で通信を行う通信部と、前記通信信号の暗号化及び複合化に用いられる暗号キーの配布を指示する配布指示を受け付ける配布指示受付部と、前記配布指示受付部により前記暗号キーの配布を指示する配布指示が受け付けられた場合に、前記暗号キーを前記通信部により他の通信端末装置へ送信させる暗号キー配布処理部と、前記暗号キーの設定を指示する設定指示を受け付ける設定指示受付部と、前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部と、前記設定指示受付部により前記設定指示が受け付けられたのが前記通信部により前記暗号キーが受信された後予め設定された所定の時間内であった場合、前記暗号キーが受信された旨を報知し、前記通信部により前記暗号キーが受信された後前記所定の時間内に前記設定指示受付部により前記設定指示が受け付けられなかった場合、前記報知を行わない受信報知部と、前記設定指示受付部により受け付けられた前記設定指示の確定を指示する確定指示を受け付ける確定指示受付部とを備え、前記暗号キー設定部は、前記受信報知部により前記暗号キーが受信された旨の報知が行われた後であって、かつ前記待ち時間内に前記確定指示受付部により前記確定指示が受け付けられた場合に、当該受信された暗号キーを前記通信信号の暗号化及び複合化のための暗号キーとして設定し、前記報知が行われた後であって、かつ前記待ち時間内に前記確定指示受付部により前記確定指示が受け付けられなかった場合、前記暗号キーの設定を行わない。
【０００７】
また、本発明に係る暗号通信システムは、電源電圧の供給及び通信に共用される導体線を介して、複数の通信端末装置が暗号化された通信信号を用いて相互に通信可能に接続される暗号通信システムであって、前記複数の通信端末装置は、前記導体線を介して他の通信端末装置との間で通信を行う通信部と、前記通信信号の暗号化及び複合化に用いられる暗号キーの配布を指示する配布指示を受け付ける配布指示受付部と、前記配布指示受付部により前記暗号キーの配布を指示する配布指示が受け付けられた場合に、前記暗号キーを前記通信部により他の通信端末装置へ送信させる暗号キー配布処理部と、前記暗号キーの設定を指示する設定指示を受け付ける設定指示受付部と、前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部と、前記複数の通信端末装置は、操作指示を受け付ける操作受付部を備え、前記操作受付部は、前記通信部により前記暗号キーが受信されることなく前記操作指示を受け付けた場合に、当該操作指示を前記配布指示として受け付ける前記配布指示受付部として機能し、前記暗号キーが受信された後予め設定された所定の待ち時間内に前記操作指示を受け付けた場合に、当該操作指示を前記設定指示として受け付ける前記設定指示受付部として機能する。
【０００８】
また、本発明に係る暗号通信システムは、電源電圧の供給及び通信に共用される導体線を介して、複数の通信端末装置が暗号化された通信信号を用いて相互に通信可能に接続される暗号通信システムであって、前記複数の通信端末装置は、前記導体線を介して他の通信端末装置との間で通信を行う通信部を備え、前記複数の通信端末装置のうち一の通信端末装置は、少なくとも、前記通信信号の暗号化及び複合化に用いられる暗号キーの配布を指示する配布指示を受け付ける配布指示受付部と、前記配布指示受付部により前記暗号キーの配布を指示する配布指示が受け付けられた場合に、前記暗号キーを前記通信部により他の通信端末装置へ送信させる暗号キー配布処理部とを備え、前記他の通信端末装置は、少なくとも、前記暗号キーの設定を指示する設定指示を受け付ける設定指示受付部と、前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、前記設定指示受付部は、前記導体線における電源電圧の有無を検出し、前記暗号キーが受信された後予め設定された所定の待ち時間内に前記電源電圧が検出されなくなった場合に、前記設定指示を受け付ける。
【０００９】
また、本発明に係る暗号通信システムは、電源電圧の供給及び通信に共用される導体線を介して、複数の通信端末装置が暗号化された通信信号を用いて相互に通信可能に接続される暗号通信システムであって、前記複数の通信端末装置は、前記導体線を介して他の通信端末装置との間で通信を行う通信部を備え、前記複数の通信端末装置のうち少なくとも一の通信端末装置は、前記通信信号の暗号化及び複合化に用いられる暗号キーの配布を指示する配布指示を受け付ける配布指示受付部と、前記配布指示受付部により前記暗号キーの配布を指示する配布指示が受け付けられた場合に、前記暗号キーを前記通信部により他の通信端末装置へ送信させる暗号キー配布処理部とを備え、前記一の通信端末装置を除く他の通信端末装置は、前記暗号キーの設定を指示する設定指示を受け付ける設定指示受付部と、前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、前記設定指示受付部は、前記導体線における電源電圧の有無を検出し、前記暗号キーが受信された後予め設定された所定の待ち時間内に前記電源電圧が検出されなくなった場合に、前記設定指示を受け付ける。
【００１０】
また、本発明に係る暗号通信システムは、電源電圧の供給及び通信に共用される導体線を介して、複数の通信端末装置が暗号化された通信信号を用いて相互に通信可能に接続される暗号通信システムであって、前記複数の通信端末装置は、前記導体線を介して他の通信端末装置との間で通信を行う通信部と、前記通信信号の暗号化及び複合化に用いられる暗号キーの配布を指示する配布指示を受け付ける配布指示受付部と、前記配布指示受付部により前記暗号キーの配布を指示する配布指示が受け付けられた場合に、前記暗号キーを前記通信部により他の通信端末装置へ送信させる暗号キー配布処理部と、前記暗号キーの設定を指示する設定指示を受け付ける設定指示受付部と、前記通信部により前記暗号キーが受信された後予め設定された所定の待ち時間内に前記設定指示受付部により前記設定指示が受け付けられた場合、当該受信された暗号キーを前記通信信号の暗号化及び複合化のための暗号キーとして設定する暗号キー設定部とを備え、前記設定指示受付部は、前記導体線における電源電圧の有無を検出し、前記暗号キーが受信された後予め設定された所定の待ち時間内に前記電源電圧が検出されなくなった場合に、前記設定指示を受け付ける。
【００１１】
また、前記導体線に前記電源電圧を供給する外部電源と前記導体線との間の接続を開閉するスイッチを有するブレーカ装置を備え、前記暗号キー配布処理部は、前記暗号キーを前記通信部により他の通信端末装置へ送信させた後、予め設定された所定の時間経過後に前記スイッチをオフさせることが好ましい。
【００１２】
また、前記複数の通信端末装置は、前記暗号キー設定部により前記暗号キーの設定が行われた場合に、当該暗号キーの設定が行われた旨を報知する設定報知部をさらに備えることが好ましい。
【００１３】
また、本発明に係るブレーカ装置は、電源電圧の供給及び通信に共用される導体線を介して、複数の通信端末装置が暗号化された通信信号を用いて相互に通信可能に接続される暗号通信システムにおける前記導体線に前記電源電圧を供給する外部電源と前記導体線との間の接続を開閉するスイッチを有するブレーカ装置であって、
前記導体線を介して前記複数の通信端末装置との間で通信を行う通信部と、
前記通信信号の暗号化及び複合化に用いられる暗号キーの配布を指示する配布指示を受け付ける配布指示受付部と、
前記配布指示受付部により前記暗号キーの配布を指示する配布指示が受け付けられた場合に、前記暗号キーを前記通信部により前記複数の通信端末装置へ送信させる暗号キー配布処理部とを備え、
前記暗号キー配布処理部は、前記暗号キーを前記通信部により前記複数の通信端末装置へ送信させた後、予め設定された所定の時間経過後に前記暗号キーを設定させるべく前記スイッチをオフさせる。
【発明の効果】
【００２０】
このような構成の暗号通信システム、暗号キー設定方法、及び通信端末装置は、複数の通信端末装置のうち一の通信端末装置によって、暗号キーの配布を指示する配布指示が受け付けられると暗号キーが他の通信端末装置へ送信される。そして、他の通信端末装置によって、暗号キーが受信された後予め設定された所定の時間内に暗号キーの設定を指示する設定指示が受け付けられると、当該受信された暗号キーが通信信号の暗号化及び複合化のための暗号キーとして設定されるので、ユーザは、一の通信端末装置に対して配布指示を行った後、所定の時間内に暗号キーを設定したい通信端末装置に対して設定指示を行うことにより、所望の通信端末装置のみに容易に暗号キーを設定することができる。
【００２１】
また、このような構成のブレーカ装置によれば、配布指示受付部によって暗号キーの配布を指示する配布指示が受け付けられると暗号キーが導体線を介して複数の通信端末装置へ送信されるので、当該スイッチを介して電源電圧が供給されている通信端末装置のみに容易に暗号キーを設定することができる。
【発明を実施するための最良の形態】
【００２２】
以下、本発明に係る実施形態を図面に基づいて説明する。なお、各図において同一の符号を付した構成は、同一の構成であることを示し、その説明を省略する。
【００２３】
（第１実施形態）
図１は、本発明の第１の実施形態に係る通信端末装置、及びこれを用いた暗号通信システムの構成の一例を説明するためのブロック図である。図１に示す暗号通信システム１は、複数の通信端末装置２−１〜２−５が、電力線３（導体線）を介して通信可能に接続されている。以下、本明細書において、総称する場合には添え字を省略した参照符号で示し、個別の構成を指す場合には添え字を付した参照符号で示す。
【００２４】
住戸Ａには、通信端末装置２−１、２−２，２−３が設けられ、通信端末装置２−１、２−２，２−３が電力線３を介して通信可能に接続されている。そして、電力線３は、分電盤４１に収納されたブレーカ４−１を介して屋外の電柱５により支持された配電線に接続されており、配電線から供給された商用電力が電力線３を介して通信端末装置２−１、２−２，２−３へ供給されるようになっている。
【００２５】
また、住戸Ｂには、通信端末装置２−４，２−５が設けられ、通信端末装置２−４，２−５が電力線３を介して通信可能に接続されている。そして、電力線３は、分電盤４２に収納されたブレーカ（図略）を介して屋外の電柱５により支持された配電線に接続されており、配電線から供給された商用電力が電力線３を介して通信端末装置２−４，２−５へ供給されるようになっている。
【００２６】
そして、住戸Ａ，Ｂのいずれにも、配電線から電力線３を介して電力が供給されるので、結果的に、住戸Ａに設けられた通信端末装置２−１、２−２，２−３と、住戸Ｂに設けられた通信端末装置２−４，２−５との間で通信信号が行き交う状態となっている。そこで、暗号通信システム１においては、住戸Ａに設けられた通信端末装置２−１、２−２，２−３と、住戸Ｂに設けられた通信端末装置２−４，２−５とで互いに異なる暗号キーを設定し、住戸Ａの通信端末装置２−１、２−２，２−３と、住戸Ｂに設けられた通信端末装置２−４，２−５とがそれぞれ異なる暗号キーを用いて暗号通信を行うことにより、住戸Ａと住戸Ｂとの間で情報が漏洩することを防止するようにしている。
【００２７】
暗号は、例えばＤＥＳ（Data Encryption Standard）、ＡＥＳ（Advanced Encryption Standard）等のように一般に暗号として知られているものの他、データと暗号キーとをＥＯＲ（排他的論理和）演算するもののように単にデータと暗号キーとを用いて何らかの演算を施すものでもよい。
【００２８】
図２は、図１に示す通信端末装置２の構成の一例を示すブロック図である。図１に示す通信端末装置２は、制御部２０、通信部２１、記憶部２２、タイマ２３、電源電圧検出部２４、押しボタンスイッチ２５（操作受付部）、ＬＥＤ（Light Emitting Diode）２６、二次電池２７、及び電源プラグ３１を備えている。
【００２９】
電源プラグ３１は、例えば家庭用のコンセントに接続するプラグであり、ユーザが住戸に設けられたコンセントに電源プラグ３１を接続することにより、電源プラグ３１が電力線３と接続されるようになっている。そして、電源プラグ３１によって、通信部２１、電源電圧検出部２４、及び二次電池２７と、電力線３とが接続されるようになっている。
【００３０】
通信部２１は、電力線搬送通信を行う通信インターフェース回路で、制御部２０からのデータを電力線搬送通信方式のプロトコルに従った通信信号に変換し、電力線３に接続された他の通信端末装置２へ送信すると共に他の通信端末装置２から電力線３を介して送信された通信信号を制御部２０が処理可能な形式のデータに変換する回路である。電力線搬送通信方式のプロトコルとしては、ＳＣＰ（Simple Control Protocol）やエコーネット（ECHONET）の電灯線Ａ方式や電灯線Ｂ方式等、種々の方式等を用いることができる。
【００３１】
電源電圧検出部２４は、電力線３から電源プラグ３１によって電源電圧検出部２４へ供給された商用電源電圧の有無を検出する回路部で、例えばコンパレータやＡＤコンバータを用いて構成されており、商用電源電圧が例えば予め設定された所定の電圧以下となった場合に電源電圧が無くなったと判定し、電源電圧が無くなった旨を示す電断信号を制御部２０へ出力する。
【００３２】
二次電池２７は、例えばニッケル水素二次電池やリチウムイオン二次電池等の二次電池を用いて構成され、電源プラグ３１から供給された電源電圧によって充電されると共に、通信端末装置２内の各部に動作用の電源電圧を供給する。なお、二次電池２７は、電源プラグ３１から供給される電源電圧が途絶えた場合に制御部２０が記憶部２２に暗号キーを記憶させるために必要な時間、例えば１００ｍｓｅｃ程度通信端末装置２内の各部に供給する電源電圧を維持できればよく、二次電池の代わりに例えばコンデンサを用いてもよい。
【００３３】
記憶部２２は、例えば、ＲＡＭ（Random Access Memory）等の揮発性の記憶素子、及びＲＯＭ（Read Only Memory）や書換可能なＥＥＰＲＯＭ（Electrically Erasable and Programmable Read Only Memory）等の不揮発性の記憶素子を用いて構成されている。タイマ２３は、例えば汎用のタイマＩＣ（Integrated Circuit）を用いて構成されたタイマ回路である。
【００３４】
押しボタンスイッチ２５は、例えば、ユーザが押下したときにオン、手を離すとオフするいわゆるタクトスイッチであり、そのオン、オフを示す信号を制御部２０へ出力する。ＬＥＤ２６は、制御部２０からの制御信号に応じて点灯、又は消灯する。
【００３５】
制御部２０は、例えば、ＣＰＵ（Central Processing Unit）、及びその周辺回路等を備えて構成され、記憶部２２に予め記憶されている所定の制御プログラムを実行することにより、暗号キー生成部２０１、暗号キー配布処理部２０２、及び暗号キー設定部２０３として機能する。
【００３６】
次に、上述のように構成された通信端末装置２、及びこれを用いた暗号通信システム１の動作を説明する。図３、図４は、通信端末装置２の動作の一例を示すフローチャートである。説明の簡単のため、通信端末装置２−１が他の通信端末装置２に対して暗号キーを配布する例について説明する。まず、通信部２１は、受信待ち受け状態となり（ステップＳ１）、暗号キーが受信されなければ（ステップＳ２でＮＯ）、暗号キー配布処理部２０２によって押しボタンスイッチ２５の状態が確認され（ステップＳ３）、押しボタンスイッチ２５がオフ（ステップＳ４でＮＯ）であれば再びステップＳ１へ移行する一方押しボタンスイッチ２５がオン（ステップＳ４でＹＥＳ）であれば、暗号配布の確認を行う暗号キー配布プレモードの動作を行うべくステップＳ５へ移行する。
【００３７】
この場合、通信部２１により暗号キーが受信されることなく押しボタンスイッチ２５がオンされた場合、押しボタンスイッチ２５は配布指示受付部として機能し、当該オン操作は暗号キーの配布を指示する配布指示として受け付けられる。
【００３８】
なお、ステップＳ２において、所定時間、例えば１０分間暗号キーが受信されなかった場合にステップＳ３へ移行するようにしてもよい。これにより、暗号キーの配布が２回目以降であっても、前回暗号キーが配布されたのが所定時間以上前であれば、通信部２１により暗号キーが受信されることなく押しボタンスイッチ２５がオンされたものとして、暗号キー配布プレモードの動作を行うべくステップＳ５へ移行することができる。
【００３９】
暗号キー配布プレモードでは、予め設定された所定の監視時間、例えば１０分以内に再び押しボタンスイッチ２５が押下されなければ、暗号キーの配布指示は取り消されたものとして暗号キーの配布を行わない。具体的には、暗号キー配布処理部２０２によって、タイマ２３に監視時間、例えば１０分が設定されてタイマ２３が起動され（ステップＳ５）、暗号プレモード（暗号キー配布指示の確認待ち状態）になったことをユーザに通知するべくＬＥＤ２６が点灯される（ステップＳ６）。この場合、ＬＥＤ２６は、暗号プレモードになったことを報知する暗号プレモード報知部として機能する。
【００４０】
次に、暗号キー配布処理部２０２によって押しボタンスイッチ２５の状態が確認され（ステップＳ７）、押しボタンスイッチ２５がオフ（ステップＳ８でＮＯ）であればタイマ２３がタイムアウトしたか否かが確認され（ステップＳ９）、タイムアウトしていなければ（ステップＳ９でＮＯ）まだ監視時間が経過していないから再びステップＳ６へ移行する一方タイムアウトしていれば（ステップＳ９でＹＥＳ）暗号キーの配布を行うことなく再びステップＳ１へ移行する。
【００４１】
これにより、例えばユーザが、他の通信端末装置２から送信された暗号キーが通信端末装置２−１によって受信されていると認識し、通信端末装置２−１に対してその暗号キーの設定を指示する設定指示として押しボタンスイッチ２５をオンした場合には、ＬＥＤ２６による表示が暗号プレモードを通知するものであるため、ユーザは意図する動作と異なっていることが判り、そのままユーザが押しボタンスイッチ２５を押さなければタイムアウトによって再び初期状態に戻るので、ユーザが意図せず誤って暗号キーを配布してしまうことを抑制することができる。
【００４２】
次に、ユーザがＬＥＤ２６による表示を確認して通信端末装置２−１に暗号キーの配布を行わせるべく押しボタンスイッチ２５を押下すると、ステップＳ８において押しボタンスイッチ２５がオン（ステップＳ８でＹＥＳ）となり、暗号キーの配布を行う暗号キー配布モードの動作を実行するべくステップＳ１０へ移行する。この場合、押しボタンスイッチ２５は設定指示受付部として機能し、当該オン操作は暗号キーの設定を指示する設定指示として受け付けられる。
【００４３】
そして、暗号キー配布モードでは、暗号キー配布処理部２０２によって、タイマ２３に暗号キーの配布継続時間、例えば他の通信端末装置２が暗号キーの受信処理を行うために十分な時間である１０秒が設定されてタイマ２３が起動され（ステップＳ１０）、暗号キー生成部２０１によって暗号キーが生成されると共に記憶部２２に記憶され（ステップＳ１１）、暗号キー生成部２０１で生成された暗号キーが新たな暗号キーとして設定される。
【００４４】
さらに、通信部２１によって、暗号キー生成部２０１で生成された暗号キーが、電源プラグ３１、及び電力線３を介してブロードキャストされ、電力線３に接続されている他の通信端末装置２−２〜２−５へ、暗号キーが配布され（ステップＳ１２）、タイマ２３がタイムアウトするまで、すなわち１０秒間暗号キーの送信が継続され（ステップＳ１３でＮＯ）、１０秒経過してタイマ２３がタイムアウトすると（ステップＳ１３でＹＥＳ）、暗号キーの送信を終了して再びステップＳ１へ移行する。
【００４５】
この場合、一定時間ブロードキャストが継続されることにより、他の通信端末装置２−２〜２−５による暗号キーの受信の確実性を向上させることができる。なお、暗号キーのブロードキャストは、一定時間継続される例に限られず、例えば、１回でもよく、予め設定された所定回数でもよく、あるいはユーザが再び押しボタンスイッチ２５を押下するまでブロードキャストを継続するようにしてもよい。
【００４６】
次に、通信端末装置２−１から送信された暗号キーが設定される通信端末装置２−２の動作について説明する。まず、通信端末装置２−２において、通信部２１は受信待ち受け状態となり（ステップＳ１）、通信部２１によって、通信端末装置２−１からブロードキャストで送信された暗号キーが受信され、暗号キーの設定を行う暗号キー設定モードの動作を行うべく図４に示すステップＳ２０へ移行する（ステップＳ２でＹＥＳ）。
【００４７】
暗号キー設定モードでは、通信部２１により暗号キーが受信された後予め設定された所定の待ち時間内に、押しボタンスイッチ２５が押下された場合、すなわち設定指示がされた場合にのみ、当該受信された暗号キーを通信信号の暗号化及び複合化のための暗号キーとして設定する。具体的には、まず、暗号キー設定部２０３によって、通信部２１で受信された暗号キーが記憶部２２に一時的に記憶される（ステップＳ２０）。そして、暗号キー設定部２０３によって、タイマ２３に待ち時間、例えば１０分が設定されてタイマ２３が起動され（ステップＳ２１）、押しボタンスイッチ２５の状態が確認され（ステップＳ２２）、押しボタンスイッチ２５がオフ（ステップＳ２３でＮＯ）、かつ電源電圧検出部２４からの電源電圧が無くなった旨を示す電断信号が無ければ（ステップＳ３１でＮＯ）タイマ２３がタイムアウトしたか否かが確認され（ステップＳ２４）、タイムアウトしていなければ（ステップＳ２４でＮＯ）まだ待ち時間が経過していないから再びステップＳ２２へ移行する一方タイムアウトしていれば（ステップＳ２４でＹＥＳ）暗号キーの設定を行うことなく再びステップＳ１へ移行する。
【００４８】
そして、ユーザが通信端末装置２−２に暗号キーを設定するべく押しボタンスイッチ２５を押下すると（ステップＳ２３でＹＥＳ）、暗号キーの設定処理を行うべくステップＳ２５へ移行する。
【００４９】
これにより、ユーザは、通信端末装置２−１における押しボタンスイッチ２５を操作して他の通信端末装置２へ暗号キーを配布させた後、暗号キーを設定したい通信端末装置２、例えば住戸Ａに設置されている通信端末装置２−２，２−３の押しボタンスイッチ２５を押下して設定指示をすることにより、暗号キーを設定したい通信端末装置２についてのみ暗号キーの設定処理に移行させ、暗号キーを設定したくない通信端末装置２、例えば住戸Ｂに設置されている通信端末装置２−４，２−５については所定の待ち時間が経過後に初期状態（ステップＳ１）に戻って暗号キーの設定がされないので、所望の通信端末装置２のみに容易に暗号キーを設定することができる。
【００５０】
次に、暗号キー設定部２０３によって、新しい暗号キーが受信されたことをユーザに通知し、ユーザに確認操作を促すべくＬＥＤ２６が例えば点滅される（ステップＳ２５）。この場合、ＬＥＤ２６は、受信報知部として機能する。
【００５１】
そして、暗号キー設定部２０３によって押しボタンスイッチ２５の状態が確認され（ステップＳ２６）、押しボタンスイッチ２５がオフ（ステップＳ２７でＮＯ）であればタイマ２３がタイムアウトしたか否かが確認され（ステップＳ２８）、タイムアウトしていなければ（ステップＳ２８でＮＯ）まだ待ち時間が経過していないから再びステップＳ２５へ移行する一方タイムアウトしていれば（ステップＳ２８でＹＥＳ）暗号キーの設定を行うことなく再びステップＳ１へ移行する。
【００５２】
この場合、通信部２１で暗号キーが受信された後所定の待ち時間内にユーザが押しボタンスイッチ２５を押下しなければＬＥＤ２６が点滅することはないので、ユーザが暗号キーの設定を望まない通信端末装置２、例えば住戸Ｂに設置されている通信端末装置２−４，２−５においてはＬＥＤ２６が点滅することがなく、暗号キーの配布が行われたことを他の住戸の利用者等、他者から隠蔽することができる。
【００５３】
一方、例えば通信端末装置２−１における暗号キーの生成処理や通信端末装置２−１から他の通信端末装置２へ暗号キーを送信する処理に不都合が生じ、適正に暗号キーが通信端末装置２−２へ配布されなかった場合には、ユーザが暗号キーを設定するべく押しボタンスイッチ２５を押下した場合に通信端末装置２−２では、暗号キーを受信していないために当該押しボタンスイッチ２５の押下操作は暗号キーの配布を指示する配布指示として受け付けられ（ステップＳ４でＹＥＳ）、暗号プレモードになったことをユーザに通知するべくＬＥＤ２６が点灯されるので（ステップＳ６）、ユーザは配布されているはずの暗号キーが通信端末装置２−２に配布されていないことを知ることができ、暗号キーの誤設定を回避することができる。
【００５４】
次に、ＬＥＤ２６の点滅状態においてユーザが暗号キー設定指示の確定を指示するべく押しボタンスイッチ２５を押下すると、押しボタンスイッチ２５がオンし、確定指示が受け付けられてステップＳ２９へ移行する（ステップＳ２７でＹＥＳ）。この場合、押しボタンスイッチ２５は確定指示受付部として機能し、当該オン操作は設定指示の確定を指示する確定指示として受け付けられる。
【００５５】
そして、ステップＳ２９において、暗号キー設定部２０３によって、記憶部２２に一時的に記憶されている暗号キーが、新たな暗号キーとして記憶部２２に記憶され、暗号キーの設定がなされ（ステップＳ２９）、暗号キーが設定されたことをユーザに通知するべく例えばＬＥＤ２６が点滅状態から点灯状態へ変化される。この場合、ＬＥＤ２６は、設定報知部として機能し、ユーザは暗号キーの設定がされたことをＬＥＤ２６の表示により確認することができる。
【００５６】
以上、ステップＳ１〜Ｓ２９の処理により、例えば住戸や工事現場等において、ユーザ（施工者）は、通信端末装置２の一台における押しボタンスイッチ２５を押下し、暗号キー配布プレモードに移行してＬＥＤ２６が点灯したことを確認して再度押しボタンスイッチ２５を押下することにより、暗号キーを他の通信端末装置２へ配布させることができる。そして、暗号キーを設定したい通信端末装置２についてのみ、押しボタンスイッチ２５を押下してＬＥＤ２６が点滅したことを確認しつつ再び押しボタンスイッチ２５を押下するだけで、所望の通信端末装置２のみに容易に暗号キーを設定することができる。
【００５７】
また、ユーザは、通信端末装置２−１に暗号キーを配布させた後、通信端末装置２−２，２−３の押しボタンスイッチ２５を押下する代わりにブレーカ４−１をオフしてもよい。具体的には、ユーザがブレーカ４−１をオフすることにより、電力線３から電源プラグ３１によって電源電圧検出部２４へ供給される電源電圧が予め設定された所定の電圧以下となり、電源電圧が無くなった旨を示す信号が制御部２０へ出力される。そうすると、ステップＳ３１において、暗号キー設定部２０３によって、電源電圧検出部２４からの電源電圧が無くなった旨を示す信号が検出され（ステップＳ３１でＹＥＳ）、ステップＳ２９へ移行して、暗号キー設定部２０３によって、記憶部２２に一時的に記憶されている暗号キーが、新たな暗号キーとして記憶部２２に記憶され、暗号キーの設定がなされ（ステップＳ２９）、暗号キーが設定されたことをユーザに通知するべく例えばＬＥＤ２６が点灯される。
【００５８】
また、ブレーカ４−１がオフされて通信端末装置２−２に供給される電源電圧が途絶えても、二次電池２７によって通信端末装置２内の各部に動作用の電源電圧が供給されるので、暗号キーの設定がされないまま通信端末装置２−２が動作を停止することはない。
【００５９】
この場合、ＬＥＤ２６は、設定報知部として機能し、ユーザは暗号キーの設定がされたことをＬＥＤ２６の表示により確認することができる。また、電源電圧検出部２４は設定指示受付部として機能する。
【００６０】
これにより、ユーザは、暗号キーを設定しようとする通信端末装置２の押しボタンスイッチ２５を個々に押下する必要がなく、ブレーカ４−１をオフすることにより、ブレーカ４−１に接続された住戸Ａ内の通信端末装置２に一括して暗号キーの設定をさせることができ、暗号キーの設定工数を低減することができる。
【００６１】
また、ブレーカ４−１をオフしても、ブレーカ４−１の配下の電力線３に接続された通信端末装置２だけに暗号キーの設定をさせることができるので、他のブレーカ系統、例えば住戸Ａ以外の住戸Ｂに設置された通信端末装置２−４，２−５において暗号キーが設定されることがなく、誤って他の家の通信端末装置２に暗号キーを設定してしまうことが抑制される。
【００６２】
なお、例えば、通信端末装置２にマイク装置を備え、例えばユーザが声を発したり手を叩いたりすることによって発した音の届く範囲の通信端末装置２がその音を設定指示として受け付ける構成としてもよく、例えば通信端末装置２に受光部を備え、例えば赤外線等の特定の波長の光や特徴ある変調のなされた光を受光した場合にその光を設定指示として受け付ける構成としてもよい。
【００６３】
これにより、ユーザが声を発したり手を叩いたりすることによって発した音の届く範囲の通信端末装置２だけに暗号キーを一括して設定したり、ユーザが専用の発光装置を用いてその光の届く範囲の通信端末装置２だけに暗号キーを一括して設定したりすることができ、暗号キーの設定工数を低減することができる。
【００６４】
また、一つの押しボタンスイッチ２５を、配布指示受付部、設定指示受付部、及び確定指示受付部として用いる例を示したが、配布指示受付部、設定指示受付部、及び確定指示受付部として別個の操作スイッチを用いてもよい。また、ＬＥＤ２６を、その点灯、点滅動作の違いによって暗号プレモード報知部、受信報知部、及び設定報知部として用いる例を示したが、例えば色の違いによって暗号プレモード報知部、受信報知部、及び設定報知部として用いてもよく、暗号プレモード報知部、受信報知部、及び設定報知部として別個の表示器を用いてもよく、ＬＥＤ２６の代わりに例えば液晶表示器を用いてもよい。
【００６５】
また、暗号通信システム１における全ての通信端末装置２が、同じ構成を備える例を示したが、例えば、暗号キーの配布を行う専用の通信端末装置と、他の通信端末装置から暗号キーを受信するのみで配布を行わない通信端末装置とを用いてもよい。また、一の通信端末装置２が暗号キーの配布を行い、他の通信端末装置は配布を行わない通信端末装置としてもよく、暗号キーの配布を行う専用の一の通信端末装置と、通信端末装置２とを用いる構成をしてもよい。この場合、暗号キーの配布を行う専用の通信端末装置は、暗号キー設定部２０３を備える必要がなく、配布を行わない通信端末装置は、暗号キー生成部２０１と暗号キー配布処理部２０２とを備える必要がない。
【００６６】
（第２実施形態）
次に、本発明の第２の実施形態に係るブレーカ装置、及びこれを用いた暗号通信システムについて説明する。本実施形態に係る暗号通信システムは、図１に示す暗号通信システム１とは、ブレーカ４−１の代わりにブレーカ装置４ａが用いられる点で異なる。図５は、ブレーカ装置４ａの構成の一例を示すブロック図である。図５に示すブレーカ装置４ａと、図２に示す通信端末装置２とは、下記の点で異なる。
【００６７】
すなわち、ブレーカ装置４ａは、電柱５により支持された配電線から配線された電力線３と住戸Ａ内の電力線３との間の接続を開閉するスイッチＳＷ１をさらに備え、暗号キー設定部２０３は備えない。また、通信部２１は、住戸Ａ内の電力線３と接続され、住戸Ａ内の通信端末装置２−１〜２−３との間で電力線搬送通信を行う。
【００６８】
また、暗号キー配布処理部２０２ａの動作が後述のように異なる点をのぞき、その他の構成は図２に示す通信端末装置２と同様であるのでその説明を省略する。以下本実施形態の動作について説明する。
【００６９】
図６は、図５に示すブレーカ装置４ａの動作の一例を示すフローチャートである。図６に示すフローチャートは、図３に示すフローチャートとは、ステップＳ２を備えず、ステップＳ１３の後にステップＳ４０をさらに備える点で異なる。ステップＳ１〜Ｓ１３の動作は、図３に示すステップＳ１〜Ｓ１３と同様であるのでその説明を省略する。
【００７０】
ステップＳ１２，Ｓ１３において、他の通信端末装置２が暗号キーを受信するために十分な時間、通信部２１によって暗号キーのブロードキャストが継続された後、ステップＳ４０において、暗号キー配布処理部２０２ａによってスイッチＳＷ１がオフされて、住戸Ａ内の通信端末装置２−１〜２−３への電力供給が例えば通信端末装置２−１〜２−３における電源電圧検出部２４によって電断を検知するために十分な時間である１００ｍｓｅｃの間遮断された後、スイッチＳＷ１がオンされる（ステップＳ４０）。
【００７１】
そうすると、通信端末装置２−１〜２−３においては、図４におけるステップＳ３１，Ｓ２９の処理により、暗号キーの設定がなされ（ステップＳ２９）、暗号キーが設定されたことをユーザに通知するべく例えばＬＥＤ２６が点灯する。
【００７２】
これにより、ユーザは、ブレーカ装置４ａにおける押しボタンスイッチ２５を操作して、暗号キーの配布を行わせるだけで自動的に住戸Ａにおけるブレーカ装置４ａの配下に接続された通信端末装置２に暗号キーを設定することができるので、暗号キーの設定工数を低減することができる。また、通信端末装置２−１〜２−３に新たな暗号キーが設定されたことをＬＥＤ２６の点灯により確認することが容易である。
【００７３】
なお、ブレーカ装置４ａは、ブレーカ装置４ａの配下に接続された通信端末装置２に暗号キーを送信するものであればよく、暗号キーの送信後にスイッチＳＷ１のオフ、オンを行わなくてもよい。
【図面の簡単な説明】
【００７４】
【図１】本発明の第１の実施形態に係る通信端末装置、及びこれを用いた暗号通信システムの構成の一例を説明するためのブロック図である。
【図２】図１に示す通信端末装置の構成の一例を示すブロック図である。
【図３】図２に示す通信端末装置の動作の一例を示すフローチャートである。
【図４】図２に示す通信端末装置の動作の一例を示すフローチャートである。
【図５】本発明の第１の実施形態に係るブレーカ装置の構成の一例を示すブロック図である。
【図６】図５に示すブレーカ装置の動作の一例を示すフローチャートである。
【符号の説明】
【００７５】
１    暗号通信システム
２    通信端末装置
３    電力線
４    ブレーカ
４ａ  ブレーカ装置
５    電柱
２０  制御部
２１  通信部
２２  記憶部
２３  タイマ
２４  電源電圧検出部
２５  押しボタンスイッチ
２６  ＬＥＤ
２７  二次電池
２０１  暗号キー生成部
２０２，２０２ａ  暗号キー配布処理部
２０３  暗号キー設定部
ＳＷ１  スイッチ
【図１】
0004788204.tif 000002
【図２】
0004788204.tif 000003
【図３】
0004788204.tif 000004
【図４】
0004788204.tif 000005
【図５】
0004788204.tif 000006
【図６】
0004788204.tif 000007